(57)【特許請求の範囲】
【請求項１】
トンネルの内周を覆工材で覆工し、当該トンネルの両側部に橋台をそれぞれ構築し、当該左右橋台間にプレキャストコンクリート板からなる床板を架け渡して床部を構築してなるトンネルの構造において、前記床板は中央部が厚く、両端方向に徐々に薄くなる矩形板状に形成され、上面に中央部から両端方向に下り勾配の水勾配が形成され、かつ両端部にアンカーボルトを挿通するアンカー孔が形成されてなることを特徴とするトンネルの構造。
【請求項２】
橋台に段差部が設けられ、当該段差部に床板の端部が緩衝部材を介在して設置され、かつ前記床板の端部は前記段差部にアンカーボルトによって固定されてなることを特徴とする請求項１記載のトンネルの構造。
【請求項３】
床板の両端部または片側端部にトンネルの軸方向に連続する排水溝が形成されてなることを特徴とする請求項１または２記載のトンネルの構造。
【発明の詳細な説明】
【０００１】
【発明の属する技術分野】
この発明は、中央部に構築された床部によって上下に仕切られているトンネルの構造に関する。
【０００２】
【従来の技術および発明が解決しようとする課題】
従来、共同溝などとして利用されるトンネルとして、中央部に床部を構築することにより中央部を境に上下に分割して構築されているトンネルが一般に知られている。従来、この種のトンネルは、トンネルの内周をコンクリートセグメント等で覆工した後、中央部に床部の型枠を組み立て、コンクリートを打設して床部を構築するのが一般的であった。
【０００３】
しかし、この種の構築工法では、狭いトンネル内で型枠およびこの型枠を支持する支保工の組み立てなどの各種作業を行う必要があるので、作業性の面で作業効率が悪いなどの課題があり、また安全面でも地盤面下の作業を強いられるなどの課題があった。さらに、型枠および支保工の組み立て、コンクリートの打ち込み・養生などに時間（日数）がかかり、工期の長期化を免れないなどの課題もあった。
【０００４】
この発明は、以上の課題を解決するためになされたもので、特に省力化施工および安全施工などを可能にしたトンネルの構造を提供することを目的とする。
【０００５】
【課題を解決するための手段】
請求項１記載のトンネル構造は、トンネルの内周を覆工材で覆工し、当該トンネルの両側部に橋台をそれぞれ構築し、当該左右橋台間にプレキャストコンクリート板からなる床板を架け渡して床部を構築してなるトンネルの構造において、前記床板は中央部が厚く、両端方向に徐々に薄くなる矩形板状に形成され、上面に中央部から両端方向に下り勾配の水勾配が形成され、かつ両端部にアンカーボルトを挿通するアンカー孔が形成されてなることを特徴とするものである。
【０００６】
請求項２記載のトンネル構造は、請求項１記載のトンネル構造において、橋台に段差部が設けられ、当該段差部に床板の端部が緩衝部材を介在して設置され、かつ前記床板の端部は前記段差部にアンカーボルトによって固定されてなることを特徴とするものである。
【０００７】
請求項３記載のトンネル構造は、請求項１または２記載のトンネル構造において、床板の両端部または片側端部にトンネルの軸方向に連続する排水溝が形成されてなることを特徴とするものである。
【０００８】
【発明の実施の形態】
発明の実施の形態１．
図１〜図４は、この発明の実施の一形態を示し、図において、トンネル１の内周は、例えばコンクリートセグメント２を複数、トンネル１の円周方向および軸方向に互いに連結しながら設置して覆工されている。また、トンネル１は中央部に床板３と４を複数、水平に設置して床部ａを形成することにより上下に仕切られている。
【０００９】
床板３は、プレキャストコンクリート板から中央部が厚く、左右両端方向に徐々に薄くなる矩形板状に形成され、また上面に中央部から左右両端方向に傾斜する水勾配が付けられ、さらに左右両端部とその上面に、上下に貫通するアンカー孔５とこのアンカー孔５より内側に位置してトンネル軸方向に連続する排水溝６とがそれぞれ形成されている。床板４も、アンカー孔５、排水孔６などを有して床板３とほぼ同じように形成され、また適当な位置に人が通り抜けられるようなマンホール７が形成され、このマンホール７には蓋（図省略）が開閉可能に取り付けられている。
【００１０】
このように形成された床板３と４は、トンネル１の両側に構築された橋台8,8 間にそれぞれ架け渡されている。その際、床板３は互いに隣接して設置され、床板４は隣接する床板3,3 間に複数おきに設置されている。
【００１１】
そして、床板３および４の左右両端は橋台８の段差部8aの上に合成ゴムなどからなる緩衝部材９を介在してそれぞれ設置され、かつアンカー孔５を貫通するアンカーボルト10によって橋台８にそれぞれ固定されている。また、床板３および４のトンネル軸方向の前後両端は、これらの縁端部のコンクリート中に埋設された継手金物11どうしを連結ボルト12でボルト締めすることにより互いに連結されている。なお、アンカーボルト10は橋台８の段差部8aのコンクリート中に予め埋設するか、または段差部8aのコンクリート中に予め埋設されたアンカーナット（図省略）に後から螺合するか、さらにはケミカルアンカーなどが使用されている。
【００１２】
橋台８はプレキャストコンクリート部材として予め工場生産されたものをトンネル１の両側に所定間隔に又は連続して設置するか、または現場施工によりトンネルの軸方向に所定間隔に又は連続して構築されている。なお、橋台８はこの橋台８が設置される部分のコンクリートセグメント２と予め一体的に形成されていてもよい。
【００１３】
発明の実施の形態２．
図５は、この発明の他の実施の形態を示し、床板３は幅狭く形成され、この床板３の幅寸法に対応して、床板３の一端を支持している橋台11はトンネル１のやや中央よりに形成されている。橋台11は橋台８と同じように場所打ちコンクリートまたはプレキャストコンクリートから形成されている。また、橋台11のほぼ中間部とコンクリートセグメント２間に床板12が水平に架け渡されている。
【００１４】
さらに、床板３の片側端部にトンネル１の軸方向に連続する排水溝６が形成されている。この発明の実施の形態によれば、トンネル１内を３つ空間に仕切るこ
とができ、それぞれの空間を各種の共同溝として活用できる。
【００１５】
【発明の効果】
この発明は、以上説明した構成からなり、特にトンネルの内周をコンクリートセグメント等の覆工材で覆工し、その両側部に橋台をそれぞれ構築し、かつこの左右橋台間にプレキャストコンクリート板からなる床板を架け渡して、トンネルの中央部に床部を構築してなるので、床部分の型枠および支保工の組み立て、撤去作業が不要になり、またコンクリートの強度が発現するまでの時間（日数）も不要になり、したがって施工性および施工の安全性が図れるとともに、工期の短縮化、経済施工が図れる等の効果がある。
【００１６】
また、橋台に段差部が設けられ、この段差部に緩衝部材を介在して床板の端部が載置され、かつアンカーボルトによって固定されているので、床板を確実に設置でき、また床板は設置した後でも取り外しが可能なので、トンネル完成後のメンテナンスがし易い等の効果もある。
【００１７】
さらに、床板は、中央部が厚く、両端方向に徐々に薄くなる矩形板状に形成されているので、高い剛性と軽量化を図ることもでき、また床板の上面に中央部から両端方向に下り勾配の水勾配が形成され、かつ両端部に排水溝が形成されているので、排水処理も確実にできる。
【図面の簡単な説明】
【図１】トンネルの縦断面図である。
【図２】図１におけるａ部拡大図である。
【図３】  (a) は床板の平面図、(b) はその正面図、(c) はその側面図である。
【図４】  (a) は床板の平面図、(b) はその正面図である。
【図５】トンネルの縦断面図である。
【符号の説明】
１  トンネル
２  コンクリートセグメント
３  床板
４  床板
５  アンカー孔
６  排水溝
７  マンホール
８  橋台
９  緩衝部材
10  アンカーボルト
11  継手金物
12  連結ボルト
【図１】
0003841512.tif 000002
【図２】
0003841512.tif 000003
【図３】
0003841512.tif 000004
【図４】
0003841512.tif 000005
【図５】
0003841512.tif 000006